(57)【要約】【課題】    従来の溶接棒バッグは、取り出しの際の利便性を考慮し、収納時溶接棒の一部は露出している。しかし、作業者がその姿勢を変えることで溶接バッグが傾き、内容物である溶接棒が抜落してしまう恐れがある。また、開口部から溶接棒が露出している状況は、雨天作業時における濡れも勘案しなければならない。【解決手段】  溶接棒収納本体部と、該溶接棒収納本体部外側面に取着された第二収納部とを有する溶接棒バッグであり、該溶接棒収納本体部は、その開口部を可回動に覆う窪み付き蓋体を具備するものである。また第二収納部に、上方が開口した金属製容器が着脱自在に嵌め込まれているものとしても良い。【選択図】  図１
2008125586.tif 000002
【特許請求の範囲】
【請求項１】
溶接棒収納本体部と、該溶接棒収納本体部外側面に取着された第二収納部とを有する溶接棒バッグであり、該溶接棒収納本体部は、その開口部を可回動に覆う窪み付き蓋体を具備するものであることを特徴とする溶接棒バッグ。
【請求項２】
該溶接棒収納本体部、該第二収納部、及び該蓋体は、帆布製であり、該第二収納部には上方が開口した金属製容器が着脱自在に嵌め込まれているものである請求項１記載の溶接棒バッグ。
【請求項３】
該溶接棒収納本体部の底部分には、底部形状に合致する底板付き筒体が嵌め込まれているものである請求項１又は２記載の溶接棒バッグ。
【発明の詳細な説明】
【技術分野】
【０００１】
本発明は、溶接作業時に腰ベルト等に吊持する形で携行する、溶接棒を複数本収納しておくためのバッグの構造に関するものである。
【背景技術】
【０００２】
溶接棒は、アーク溶接の際、溶接箇所に溶かしこんで充填接合するのに用いる融点の低い棒状の金属である。１本の長さは通常３０ｃｍ前後であり、作業者がトーチでこれを保持しつつ溶接作業を進めるが、頻繁に消費・補充されるものであるので、作業者は腰ベルト等に溶接棒バッグを掛け、バッグ内に複数本の溶接棒を入れておき、ここから取り出して交換する。溶接棒は、残り数ｃｍとなった段階では使えなくなるので廃棄処分される。或いは、作業の中途で残ってしまう溶接棒もある。使用中の溶接棒先端の溶融部分は、すぐに冷えるものではあるが非常に高温である。従ってすぐにバッグ内に戻すということはなく、廃棄するか、冷えるのを待って収納するのが普通である。
【０００３】
溶接棒バッグの典型的な形状は、概ね円筒形状をした深さ約２５ｃｍの袋であり、この開口部付近にベルト通し等の係止手段が取設されたものが多い。場合によっては、使用済み或いは中途使用の溶接棒を収納するポケット様の部材を付設させたものもある。この袋に数十本の溶接棒を格納することになるが、取り出しの際の利便性を考慮し、収納時溶接棒の一部（１０ｃｍ前後）は露出する長さに設計されているものが多い。
【発明の開示】
【発明が解決しようとする課題】
【０００４】
実際の作業においては、溶接棒の一部が露出しているので溶接棒の取り出し自体は楽に行なえる。しかし、作業現場によっては作業者がその姿勢を変える場合がある。その際には、溶接バッグが傾き、内容物である溶接棒が抜落してしまう恐れがある。溶接棒は金属製であるので高所作業の場合には極めて危険であるし、落下による事故を心配しなくて良い場合でも、それらを拾い集めねばならず作業能率は極端に低下する。
【０００５】
更に、溶接棒が濡れてしまうと、スパッタ量が増加したり、本来のアーク強さが維持できないといった問題がある。そこで濡れてしまった場合には通常、専用の乾燥機を用いて乾燥する等の方策を講じている。従って、開口部から溶接棒が露出している状況は、雨天作業時における濡れも勘案しなければならない。
【特許文献１】特開平１０−２１１００９号
【課題を解決するための手段】
【０００６】
以上のような現状に鑑み、本発明者は長年鋭意研究の結果遂に本発明を成したものであり、その特徴とするところは、溶接棒収納本体部と、該溶接棒収納本体部外側面に取着された第二収納部とを有する溶接棒バッグであり、該溶接棒収納本体部は、その開口部を可回動に覆う窪み付き蓋体を具備する、という点にある。
【０００７】
即ち本発明は、少なくとも未使用の溶接棒に関しては、バッグ本体を傾けても容易には抜落せず、また雨天作業においても濡れることがないように構成された溶接棒バッグを提供することにある。
【０００８】
ここで「溶接棒収納本体部」とは、未使用の溶接棒を複数本収納し得る内部空間を有する筒状袋である。未使用の溶接棒長さは通常３０ｃｍ前後であるので、内部空間の深さを２５ｃｍ前後とするのが好ましい。しかし、溶接棒長さが３０ｃｍ前後以外のもの、或いは特殊なものもあり得るので、こうした数値について限定はしない。また、材質についても、通常は皮革製であるがこれに限定するものではない。本発明者が試作した範囲では、皮革に代えて「帆布」を用いても耐摩擦強度は充分であって特に支障はなく、安価に提供でき洗浄容易である、等々の利点があるので好適である。ただ、高温の溶接棒を接触させた場合、皮革に比してやや劣るところがある。しかし、溶接棒収納本体部に関してはこのような高温の部材を投入することはないので、基本的には帆布製で差し支えない。更に、溶接棒収納本体部の材質によらず、製作は縫製することで行なっているので、重量のある溶接棒がその縫合部分を摩耗破損させてしまう危険性がある。そこで溶接棒収納本体部の底部に、きっちりと収まる受け皿状容器（底板付き筒体）を嵌め込むと好適である。
【０００９】
第二収納部は、使用済みの溶接棒を収納する部材である。溶接棒は使用によって短くなり最後は５ｃｍ前後となるので、第二収納部の深さは５ｃｍ以上あると良い。また、使用を開始したが途中で作業が完了（又は中断）した時の溶接棒の収納部を兼用しても良く、兼用する場合には深さを大きく（例えば１５ｃｍ程度）採るのが好ましい。また第二収納部の材質については上記した溶接棒収納本体部と同様、特に限定するものではないが、材質として好ましい帆布を採用する場合、投入される使用済み或いは使用中途の溶接棒先端が高温であるので、ここに「金属製容器」を嵌め込むと好適である。材質としては、鉄、ステンレススチール等が採用できる。この金属板製容器は、作業終了後、内容物である使用済み溶接棒の排出が容易であるように、着脱自在であるのが良い。更に、部分的に高温となる部材であるので局部的な熱膨張・収縮で支障を来すことがないように、構造はシンプルであるのが好ましい。本発明者が試作実験した範囲では、第二収納部の内部形状に合う全体形状であり、最低部より僅かに高い位置に底板が配された構造の筒状体が最適であった。底板が最低部より僅かに高い位置に配されていることにより、使用直後の溶接棒が投入されても、高温になる底板は第二収納部に直接触れることはない。
【００１０】
蓋体は、溶接棒収納本体部の開口部に可回動に取設される部材である。本発明の場合に蓋体は窪みを持つ。窪みがあるため、蓋体を閉じた時溶接棒収納本体部開口部から突出する溶接棒をも封じ込めることができる。この窪みの深さは、突出する溶接棒の高さによるものであり通常５ｃｍ程かと思われるが、本発明において限定はしない。また窪み形成の形態に関しても限定するものではない。最も一般的な構造は、溶接棒収納本体部の開口部が円形の場合、その形状に合った円筒形である。
【００１１】
また蓋体を溶接棒収納本体部の開口部に「可回動」に取設する方法に関しても本発明において特に限定するものではないが、溶接棒収納本体部の開口部が円形であって蓋体もその形状に合った円形という場合、縫合その他の手段によって該円の円周部分を一部接合させるだけで良い。蓋体を溶接棒収納本体部の開口部から分離させるような形態で着脱するものについては本発明の範疇から除外する。
【００１２】
本発明に係る溶接棒バッグは、以上の構成部材、即ち「溶接棒収納本体部」「第二収納部」「蓋体」を具備するものであるが、これらのみから構成されるというわけではなく、従来の溶接棒バッグと同様、作業者の腰ベルト等への係止手段その他を設けたものであっても当然良いものである。
【発明の効果】
【００１３】
本発明に係る溶接棒バッグは、以下に述べるような効果を有する極めて高度な発明である。
【００１４】
（１）  使用済み或いは使用中途の溶接棒を収納する第二収納部を付帯するものであるので、作業環境の美化に寄与する。
（２）  蓋体を有しているので、未使用溶接棒が雨に濡れる心配がなく、また作業者が姿勢を変えてもバッグから未使用溶接棒が抜落する可能性が小さい。
【発明を実施するための最良の形態】
【００１５】
以下図面に基づいて本発明をより詳細に説明する。
【実施例１】
【００１６】
図１は、本発明に係る溶接棒バッグ１（以下「本発明バッグ１」という）の一例を示すものである。図より明らかなように本例の本発明バッグ１は、概ね円筒形状をした溶接棒収納本体部２と、その側面下部に張り出すように取設された第二収納部３、その中に嵌め込まれる金属容器４、該溶接棒収納本体部２の開口部に取設された蓋体５、及び本図には描出されていないベルト通し６とにより構成されるものである。溶接棒収納本体部２、第二収納部３、蓋体５については本例の場合帆布製としている。また、溶接棒収納本体部２の底部には金属製補強受け皿２１（破線で示す）が嵌め込まれており、帆布縫合部分が溶接棒下端に触れることがないよう構成されている。
【００１７】
蓋体５は、円形状の帆布より成る蓋布５１と、その円周側面である壁面布５２とを縫合して構成されるものである。この壁面布５２の下端の一部が溶接棒収納本体部２の開口部に固定されることになるが、本例の場合、板状布５３を介して縫合により両者を固定するという方法を採っている。これにより蓋体５は、離反することなく回動して開閉すると共に、板状布５３の存在によって蓋体閉方向に付勢され常時は閉じる構造となっている。また側壁布５２を伴うこの蓋体５は、窪み空間Ｚを有するものとなっており、溶接棒収納本体部２に収納される溶接棒Ａの突出部分はこの窪み空間Ｚ内に収まる。なお、本例では固定部分（板状布５３位置）と反対側の壁面布５３に舌片５４が取り付けられており、溶接棒収納本体部２開口部近傍に該舌片５４を係止できるようにしている。係止手段は、双方に取設された雌雄の面ファスナー７であるが、これ以外の係止手段であっても良いし、舌片５４その他の係止機構自体を設けないものであっても本発明に属するものである。
【００１８】
図２（ａ）（ｂ）は、第二収納部３に嵌め込まれる金属容器４の構造を概略的に示すものであり、同図（ａ）は金属容器４の斜視図、同図（ｂ）はこれを第二収納部３に嵌め込んだ状態を示す断面図である。金属容器４は第二収納部３に丁度収まり簡単には滑り落ちることがない大きさ・形状で、天面のみが開口するシンプルな筒状体である。但しこの底板４１は、第二収納部３に収まった状態［同図（ｂ）の状態］で第２収納部３の底布３１に接触することがないように、やや浮かせた構成となっている。これにより高温の溶接棒Ａを投入しても直接底布３１には接触しないようになっている。また、金属容器４の開口部近傍に設けられた指掛けリング４２によって、取り出しやすいものとしているが、これを省略しても良い。
【００１９】
図３は、溶接棒収納本体部２に溶接棒Ａを収納した状態で、本発明バッグ１をひっくり返すようにして傾けた状態を示すものである。傾けることにより溶接棒Ａは収納部から飛び出ようとするが、溶接棒収納本体部２開口部に可回動に取設されている蓋体５がそれを阻止し、図のような状態となった後には溶接棒Ａ自身がつっかえ棒の役を果たすこととなり蓋体５がそれ以上開かなくなる。よって溶接棒の抜落を防止することができる。
【００２０】
なおここまで本発明バッグを構成する部材の主要材質として「帆布」を用いた例に基づいて本発明を説明してきたが、他の材質の布地、或いは皮革等を用いても良い。
【図面の簡単な説明】
【００２１】
【図１】本発明に係る溶接棒バッグの一例を示す概略斜視図である。
【図２】同図（ａ）は、金属容器の構造を概略的に示す斜視図、同図（ｂ）はこれを第二収納部に嵌め込んだ状態を示す断面図である。
【図３】本発明に係る溶接棒バッグを傾けた状態を示す概略断面図である。
【符号の説明】
【００２２】
１    本発明に係る溶接棒バッグ
２    溶接棒収納本体部
２１  補強受け皿
３    第二収納部
３１  底布
４    金属容器
４１  底板
４２  指掛けリング
５    蓋体
５１  蓋布
５２  壁面布
５３  板状布
５４  舌片
６    ベルト通し
７    面ファスナー
Ａ    溶接棒
【図１】
2008125586.tif 000003
【図２】
2008125586.tif 000004
【図３】
2008125586.tif 000005
【手続補正書】
【提出日】平成18年12月11日(2006.12.11)
【手続補正１】
【補正対象書類名】明細書
【補正対象項目名】０００４
【補正方法】変更
【補正の内容】
【０００４】
実際の作業においては、溶接棒の一部が露出しているので溶接棒の取り出し自体は楽に行なえる。しかし、作業現場によっては作業者がその姿勢を変える場合がある。その際には、溶接バッグが傾き、内容物である溶接棒が抜落してしまう恐れがある。溶接棒は金属製であるので高所作業の場合には極めて危険であるし、落下による事故を心配しなくて良い場合でも、それらを拾い集めねばならず作業能率は極端に低下する。また使用直後の溶接棒は、高温であるにもかかわらず、そのまま床に廃棄してしまいがちであり、当然これは火災を引き起こしかねず安全上問題である。
【手続補正２】
【補正対象書類名】明細書
【補正対象項目名】００１４
【補正方法】変更
【補正の内容】
【００１４】
（１）  使用済み或いは使用中途の溶接棒を収納する第二収納部を付帯するものであるので、高温の溶接棒を安全に格納でき、よって火災発生の心配がなくなると共に、作業環境の美化に寄与する。
（２）  蓋体を有しているので、未使用溶接棒が雨に濡れる心配がなく、また作業者が姿勢を変えてもバッグから未使用溶接棒が抜落する可能性が小さい。